(57)【要約】【課題】全自動切断機に比べて低コストで、オペレータを利用することなく溶接工が配管を所定形状に切断することができ、また現場での使用も可能な配管切断ガイド器を提供する。【解決手段】枝管１１の切断箇所付近の外周面に、第１のベルト１５により自在レール１４を装着する一方、この装着箇所から離間した配管部分の外周面に、管外周ロッド並列装着体１７を用いて、複数本のレール湾曲操作ロッド１６を、枝管１１の周方向に一定ピッチでそれぞれ着脱自在に装着する。その後、各レール湾曲操作ロッド１６を管軸方向へそれぞれ摺動操作することで、自在レール１４を枝管１１の切断ラインに沿って湾曲させ、このレール１４に沿ってトーチ１２を移動させて、枝管１１の箇所を切断する。これにより、低コストで、また溶接工が枝管１１の端部を所定形状に切断でき、かつ現場での使用も可能となる。【選択図】図１
2020175428.tif 000002
【特許請求の範囲】
【請求項１】
金属製の配管を切断するトーチが、着脱自在または固定状態で装着されるトーチ移動台と、
該トーチ移動台を、前記配管の切断ラインに沿って３次元的に移動させるための湾曲自在な自在レールと、
該自在レールを前記配管の外周面に着脱自在に装着させるレール装着部材と、
前記配管の管軸方向に各々延びるとともに、前記自在レールの長さ方向に所定ピッチで、この自在レールに各先端部がそれぞれ固定される複数本のレール湾曲操作ロッドと、
該各レール湾曲操作ロッドを、前記配管の管軸方向へそれぞれ摺動自在に支持するとともに、該配管の周方向に一定ピッチで、前記各レール湾曲操作ロッドを前記配管に着脱自在に装着する管外周ロッド並列装着体とを備えたことを特徴とする配管切断ガイド器。
【請求項２】
前記レール湾曲操作ロッドの外周面には、前記管外周ロッド並列装着体からのロッド突出長さを測定するための目盛が表示されていることを特徴とする請求項１に記載の配管切断ガイド器。
【請求項３】
前記トーチ移動台には、前記トーチを周転させて前記配管を円形に切断するコンパスを有したことを特徴とする請求項１または請求項２に記載の配管切断ガイド器。
【発明の詳細な説明】
【技術分野】
【０００１】
本発明は、配管をトーチにより切断（溶断）する際に使用される配管切断ガイド器に関する。
【背景技術】
【０００２】
例えば、上下水道の配管や空調に使用される鋼管製の配管のＴ字状やＹ字状の分岐作業では、枝管の端部を主管の分岐穴に合わせて切断する必要がある。すなわち、枝管の端部を管軸に直交して切断するのではなく、所定の湾曲形状に切断しなければならない。
従来、このような枝管の切断を行うものとして、例えば、非特許文献１の“ＣＮＣパイプ自動切断機”が知られている。これは、予め枝管の端管接合部の形状をＣＰＵにより自動的に演算し、その演算結果に基づき、枝管を周方向へ回転させながらトーチを管軸方向へ移動させることにより、これを所定形状に切断するものである。
【先行技術文献】
【特許文献】
【０００３】
【非特許文献１】［平成３１年４月５日検索］、インターネット＜ＵＲＬ: https://www.miki-tk.co.jp/?page_id=606＞
【発明の開示】
【発明が解決しようとする課題】
【０００４】
しかしながら、非特許文献１の“ＣＮＣパイプ自動切断機”は、このようにＣＰＵ（中央演算装置）により配管の回転と、トーチの管軸方向への移動とをそれぞれ制御して行う全自動切断であった。
そのため、装置コストが高騰し、これの運転知識を有するオペレータでなければ枝管の切断を行うことができなかった。
また、環境に影響され易い電子部品が搭載されたＣＮＣ制御の全自動切断機であったため、現場へ持ち込んで使用することもできなかった。
【０００５】
そこで、発明者は鋭意研究の結果、トーチ移動台を走行させる自在レールを、この自在レールに各先端部がレール長さ方向へ所定ピッチで各々連結された複数本のレール湾曲操作ロッドを、それぞれ所定距離だけ管軸方向へ移動させることにより、配管の切断ラインに沿って湾曲させる配管切断ガイド器を作製し、これを使用して配管を切断するようにすれば、上述した問題点は全て解消されることを知見し、この発明を完成させた。
本発明は、このような問題点に鑑みなされたもので、全自動切断機に比べて低コストで、ＣＮＣ制御用のオペレータを介することなく溶接工が配管を所定形状に切断することができ、また現場での使用も可能な配管切断ガイド器を提供することを目的としている。
【課題を解決するための手段】
【０００６】
請求項１に記載の発明は、金属製の配管を切断するトーチが、着脱自在または固定状態で装着されるトーチ移動台と、該トーチ移動台を、前記配管の切断ラインに沿って３次元的に移動させるための湾曲自在な自在レールと、該自在レールを前記配管の外周面に着脱自在に装着させるレール装着部材と、前記配管の管軸方向に各々延びるとともに、前記自在レールの長さ方向に所定ピッチで、この自在レールに各先端部がそれぞれ固定される複数本のレール湾曲操作ロッドと、該各レール湾曲操作ロッドを、前記配管の管軸方向へそれぞれ摺動自在に支持するとともに、該配管の周方向に一定ピッチで、前記各レール湾曲操作ロッドを前記配管に着脱自在に装着する管外周ロッド並列装着体とを備えたことを特徴とする配管切断ガイド器である。
【０００７】
配管の素材は限定されない。各種の鉄、非鉄金属を採用することができる。例えば、炭素鋼鋼管、合金鋼鋼管、ステンレス鋼鋼管などの鋼管のほか、鋳鉄管、非鉄金属の銅合金管、アルミニウム管、チタン管、鉛管などでもよい。
配管のサイズも任意である。また、分岐される配管にあっては、枝管でも、これが接合される主管でもよい。
【０００８】
トーチの種類は任意である。一般的にはガス切断（溶断）トーチであるが、レーザ切断トーチ、プラズマ切断トーチ等を採用することができる。
トーチは、トーチ移動台に対して着脱自在に装着されても、分離不能に固定されてもよい。
トーチ移動台は、手動式のものでも、モータなどの駆動部を有した自走式のものでもよい。
「トーチ移動台を、配管の切断ラインに沿って３次元的に移動させる」とは、トーチ移動台の移動ガイドである自在レールが、Ｘ方向、Ｙ方向およびＺ方向にそれぞれ湾曲自在なレールであり、この自在レールに沿ってトーチ移動台が移動することを意味する。
【０００９】
自在レールは、Ｘ方向、Ｙ方向およびＺ方向に湾曲自在で、かつこのような湾曲状態でもトーチ移動台を移動可能なものであれば、その種類（構造）や素材等は任意である。例えば、鉛製の湾曲自在な芯材を有する耐熱性の軟質合成樹脂からなるものでもよい。その他、複数の金属レール片を、レール長さ方向へ順次回動自在（揺動自在）に連結した構造のものでもよい。
自在レールおよび芯材の断面形状および使用本数などは任意である。
自在レールの長さは限定されない。例えば、配管の全周に装着可能な長さでも、その一部にのみ装着可能な長さでもよい。さらには、配管の全周より長くてもよい（その場合は、自在レールに余剰部分が生じる）。
【００１０】
配管の切断（形状）は限定されない。例えば、配管が枝管の場合には、直角交差枝管切断、直角交差返信枝管切断、斜め交差枝管切断、斜め交差偏心枝管切断などを採用することができる。また、例えば、配管が主管の場合には、例えば、直角交差穴切断、直角交差貫通穴切断、直角交差偏心穴切断、斜め交差穴切断、斜め交差偏心切断などを採用することができる。その他、枝管や主管に関係なく、平面直切断、平面斜め切断（マイター）、および、配管の切断端の開先切りでもよい。
【００１１】
レール装着部材は、自在レールを配管の外周面に着脱自在に装着可能なものであれば、その種類や素材等は任意である。例えば、自在レールを配管に巻き付ける（締め付ける）ための各種の締結部材（例えば、ベルト、チェーン、紐、線材（針金等））でもよい。その他、配管が強磁性体（例えば、鋼管等）であれば、磁石でもよい。
レール湾曲操作ロッドの素材は、剛体であれば任意である。例えば、各種の金属、各種の合成樹脂などを採用することができる。
【００１２】
レール湾曲操作ロッドの断面形状は任意である。例えば、円形、楕円形の他、三角形、四角形以上の多角形でもよい。
レール湾曲操作ロッドの長さや使用本数も任意で、配管のサイズに応じて適宜変更される。各レール湾曲操作ロッドの長さは、同一でも異なってもよい。ただし、同一とした方が管外周ロッド並列装着体からの突出長さを把握し易いために好ましい。また、レール湾曲操作ロッドの使用本数は、配管の全周に配した分より多くてもよい（その場合は、レール湾曲操作ロッドおよび管外周ロッド並列装着体にそれぞれ余剰部分が生じる）。
複数本のレール湾曲操作ロッドの各先端部は、自在レール（例えば、レールの一側面）に対して、互いに一定の間隔をあけて平行に連結されている。
各レール湾曲操作ロッド間のピッチは任意である。例えば、数ｃｍでもよい。
【００１３】
管外周ロッド並列装着体の構造は、各レール湾曲操作ロッドを、配管の管軸方向へそれぞれ摺動自在に支持するとともに、各レール湾曲操作ロッドを配管の周方向に一定ピッチで平行に、かつ配管の外周面に着脱自在に装着可能なものであれば限定されない。
このうち、各レール湾曲操作ロッドを、配管の管軸方向へそれぞれ摺動自在に支持するものとしては、例えば、各種のロッド摺動支持部材を採用することができる。
このロッド摺動支持部材とは、レール湾曲操作ロッドの周方向の全部またはその一部を掛止して、レール湾曲操作ロッドを配管の管軸方向へ摺動（スライド）可能とする部材である。例えば、各レール湾曲操作ロッドを個別に摺動させる各種のスリーブやリングを採用することができる。その他、全レール湾曲操作ロッドを一括して摺動させるものでもよい。具体的には、ロッドの挿通空間が所定ピッチで連続するような波形の長孔を有した環状部材などが挙げられる。
【００１４】
また、管外周ロッド並列装着体は、このロッド摺動支持部材を配管の外周面に装着するための部材も有している。この装着部材としては、例えば、ロッド摺動支持部材を配管に巻き付けるための各種の締結部材、配管が強磁性体の場合の磁石などを採用することができる。
締結部材としては、例えば、チェーン、ベルト、紐、線材などが挙げられる。チェーンを採用した場合には、例えば、隣接する内、外リンクを連結管により連結し、各連結管にレール湾曲操作ロッドをそれぞれ挿通すれば、ロッド摺動支持部材を兼用することもできる。
【００１５】
請求項２に記載の発明は、前記各レール湾曲操作ロッドの外周面には、前記管外周ロッド並列装着体からのロッド突出長さを測定するための目盛が表示されていることを特徴とする請求項１に記載の配管切断ガイド器である。
この目盛は、レール湾曲操作ロッドの全長にわたって表示しても、その基部を含むその一部のみに表示してもよい。
【００１６】
請求項３に記載の発明は、前記トーチ移動台には、前記トーチを周転させて前記配管を円形に切断するコンパスを有したことを特徴とする請求項１または請求項２に記載の配管切断ガイド器である。
トーチ移動台へのコンパスの取り付け構造は任意である。例えば、トーチ移動台から連結アームを突出させ、その連結アームの先部にコンパスを設けてもよい。
コンパスには、その回転部分にトーチが着脱自在または固定状態で装着される。
コンパスは、トーチ移動台に対して着脱自在でも、分離不能に固定されてもよい。
【発明の効果】
【００１７】
本発明の配管切断ガイド器によれば、配管（例えば、枝管）の切断したい箇所付近の外周面に、レール装着部材により自在レールを装着する一方、この装着箇所から離間した配管の部分の外周面に、管外周ロッド並列装着体を用いて、複数本のレール湾曲操作ロッドを、配管の周方向に一定ピッチでそれぞれ着脱自在に装着する。
その後、各レール湾曲操作ロッドを、対応するロッド摺動支持部材をガイドにしてそれぞれ管軸方向へ摺動操作することで、自在レールを配管の切断ラインに沿って湾曲させる。
次に、トーチ（火口）を自在レールに沿って移動させながら、この配管の箇所を所定形状に切断（例えば、直角交差枝管切断）する。
これにより、全自動切断機に比べて低コストで、またＣＮＣ制御用のオペレータを使用することなく溶接工が配管の端部を所定形状に切断することができ、かつこの配管切断ガイド器を現場で使用することもできる。
【００１８】
特に、請求項２に記載の発明によれば、各レール湾曲操作ロッドの外周面に目盛を表示したため、各レール湾曲操作ロッドの管外周ロッド並列装着体からの移動量をそれぞれ測定することにより、各測定値に基づき、自在レールの湾曲状態を把握することができる。その結果、従来切断機のＣＮＣ制御を行うことなく、自在レールを配管の切断ラインに簡単かつ正確に配置することができる。
【００１９】
また、請求項３に記載の発明によれば、トーチ（火口）が装着されたコンパスを搭載したトーチ移動台を、自在レールに沿って配管（例えば、主管）の切断したい箇所付近まで移動する。その後、ここでコンパスを使用してトーチを周転させることにより、この配管の所定箇所を円形に切断（例えば、直角交差穴切断）することができる。
これにより、配管切断ガイド器を用いて、例えば枝管の端管接合部と、これが接合（溶接）される主管の分岐穴とをそれぞれ切断形成することができる。
【図面の簡単な説明】
【００２０】
【図１】本発明の実施例１に係る配管切断ガイド器の使用状態を示す斜視図である。
【図２】本発明の実施例１に係る配管切断ガイド器の側面図である。
【図３】本発明の実施例１に係る配管切断ガイド器による配管の切断作業中を示す要部拡大断面図である。
【図４】本発明の実施例１に係る配管切断ガイド器の一部を構成する管外周ロッド並列装着体を示す要部拡大断面図である。
【図５】本発明の実施例１に係る配管切断ガイド器の一部を構成する管外周ロッド並列装着体として、チェーン式のものを採用した場合の使用状態を示す要部側面図である。
【図６】本発明の実施例１に係る配管切断ガイド器の半割タイプの使用状態を示す斜視図である。
【図７】本発明の実施例２に係る配管切断ガイド器の使用状態を示す要部拡大断面図である。
【発明を実施するための形態】
【００２１】
以下、本発明の実施例を具体的に説明する。ここでは、上水道の配管をＴ字分岐する際に使用される配管切断ガイド器を例とする。なお、説明の都合上、配管の一端方向をＸ１方向、配管の他端方向をＸ２方向、配管の左方向をＹ１方向、配管の右方向をＹ２方向、上方向をＺ１方向、下方向をＺ２方向とする。
【実施例】
【００２２】
図１および図２において、１０は本発明の実施例１に係る配管切断ガイド器で、この配管切断ガイド器１０は、枝管（配管）１１の一端部を直角交差枝管切断するトーチ１２が着脱自在に装着されたトーチ移動台１３と、このトーチ移動台１３を、枝管１１の切断ラインに沿って３次元的に移動させるための湾曲自在な自在レール１４と、この自在レール１４を枝管１１の一端部の外周面に着脱自在に装着させるための第１のベルト（レール装着部材）１５と、枝管１１の管軸方向に各々延びるとともに、この自在レール１４の長さ方向に所定ピッチで、この自在レール１４に各先端部がそれぞれ固定される複数本のレール湾曲操作ロッド１６と、各レール湾曲操作ロッド１６を、枝管１１の管軸方向へそれぞれ摺動自在に支持するとともに、各レール湾曲操作ロッド１６を、枝管１１の周方向に一定ピッチで、かつ枝管１１の外周面に沿って着脱自在にこの枝管１１に装着するための管外周ロッド並列装着体１７とを備えている。
【００２３】
以下、図１〜図６を参照して、これらの構成を具体的に説明する。
枝管１１は、Ｘ１−Ｘ２方向に延びる直径５０ｃｍの鋼管である。
図３に示すように、トーチ移動台１３は、矩形ブロック状の台本体１８を有している。台本体１８の中央部の下面には、自在レール１４のレール溝１９に挿入される先端が丸いガイド突起２０が設けられている。また、台本体１８の中央部の上面には、小型の矩形部材であるガイド突起２１が突設され、このガイド突起２１の中央部には、Ｘ１−Ｘ２側面を貫通する矩形穴２１ａが形成されている。この矩形穴２１ａには、Ｘ１−Ｘ２方向へ延びるトーチ取付アーム２２の基端部がスライド可能に挿着されている。トーチ取付アーム２２の先端部には、Ｚ１−Ｚ２側面を貫通するトーチ孔２２ａが形成されている。このトーチ孔２２ａに、下端部に火口２３を有したトーチ１２が着脱可能に挿着されている。
また、切断ラインとは、枝管１１の一端部を直角交差枝管切断するための仮想線である。
【００２４】
図１〜図３に示すように、自在レール１４は、Ｘ方向、Ｙ方向およびＺ方向に湾曲自在で、かつ湾曲状態でもトーチ移動台１３を移動可能な長尺部材である。この自在レール１４は、断面が略上向きコの字状をした厚肉で耐熱性の軟質合成樹脂からなる長尺なレール本体２４を有している。レール本体２４のうち、レール溝１９の底面付近には、略レール全長にわたり、鉛製の湾曲可能な芯材２５が埋設されている。
また、レール本体２４の底部には、Ｘ１−Ｘ２側面を貫通してフランジ２６ａ付きの複数本のスリーブ２６が、レール長さ方向に３ｃｍピッチでそれぞれ埋設されている。各スリーブ２６には、対応するレール湾曲操作ロッド１６の先端部がそれぞれ挿着されている。
さらに、レール本体２４の長さ方向の両端部には、自在レール１４を枝管１１の外周面に縛り付けるための２本の第１のベルト（締結ベルト）１５が連結されている。
【００２５】
図４に示すように、各レール湾曲操作ロッド１６は、長さ１ｍ、直径１ｃｍのステンレス製のパイプで、各基端側の半分の外周面には、管外周ロッド並列装着体１７からのロッド突出長さを測定するための目盛Ｍがそれぞれ表示されている。
図１，図２および図４に示すように、管外周ロッド並列装着体１７は、各レール湾曲操作ロッド１６を、枝管１１の管軸方向へそれぞれ摺動自在に支持するための前後方向に複数対のスライドリング（ロッド摺動支持部材）２７と、各対のスライドリング２７が外面に３ｃｍピッチで配設された長尺な金属製の第２のベルト２８とを有している。
なお、図５に示すように、このような構造の管外周ロッド並列装着体１７に代えて、２本のチェーン２９を並列状態で連結した２連チェーン式の管外周ロッド並列装着体１７Ａを採用してもよい。各チェーン２９は、隣り合う内リンク３０、外リンク３１をそれぞれ連結管３２により連結したものである。また、各連結管３２には、各レール湾曲操作ロッド１６の基端部がそれぞれ挿通されている。これにより、各チェーン２９が各スライドリング２７を兼用し、管外周ロッド並列装着体１７Ａの低コスト化および作製の容易化を図ることができる。
【００２６】
次に、図１〜図４を参照して、本発明の実施例１に係る配管切断ガイド器１０の使用方法を説明する。
図１〜図４に示すように、実施例１の配管切断ガイド器１０の使用時には、まず、枝管１１の一端部付近の外周面に、第１のベルト１５により自在レール１４を縛り付ける。一方、この装着箇所から離間した枝管１１の長さ方向の中間部の外周面に、第２のベルト２８を利用して管外周ロッド並列装着体１７を縛り付ける。これにより、それぞれの長さ方向がＸ１−Ｘ２方向に向いた複数対のスライドリング２７が、枝管１１の外周面に、その周方向へ３ｃｍピッチで配される。
その後、各レール湾曲操作ロッド１６を、対応するスライドリング２７をガイドにしてそれぞれ管軸方向へ摺動操作する。これにより、各レール湾曲操作ロッド１６の先端部に連結された長尺な自在レール１４を、枝管１１の切断ラインに沿って３次元的に湾曲させることができる。
次に、この湾曲状態を維持したまま、トーチ（火口２３）１２を自在レール１４に沿って移動させながら、この枝管１１の一端部を直角交差枝管切断する。
【００２７】
これにより、従来の全自動切断機に比べて低コストで、またＣＮＣ制御用のオペレータを使用することなく溶接工が枝管１１の端部を所定形状に切断することができ、かつこの配管切断ガイド器１０を現場で使用することもできる。
また、各レール湾曲操作ロッド１６の外周面に目盛Ｍを表示したため、各レール湾曲操作ロッド１６の管外周ロッド並列装着体１７からの移動量、具体的には、Ｘ１側のスライドリング２７のうち、そのＸ１側の開口端からのレール湾曲操作ロッド１６の移動量をそれぞれ測定することにより、各測定値に基づき、自在レール１４の湾曲状態を把握することができる。その結果、従来切断機のＣＮＣ制御を行うことなく、自在レール１４を枝管１１の切断ラインに簡単かつ正確に配置することができる。
【００２８】
なお、自在レール１４の切断ラインに沿った湾曲形状を維持し易いように、自在レール１４の底面に、レール長さ方向に所定ピッチで所定形状の複数のマグネット（図示せず）を配設してもよい。
また、図６に示すように、配管切断ガイド器１０の軽量化および低コスト化を図るため、１回の切断操作で、枝管１１の半周分のみを切断する構造とした配管切断ガイド器１０Ａを採用してもよい。具体的には、自在レール１４Ａと、各レール湾曲操作ロッド１６と、管外周ロッド並列装着体１７Ｂとを、それぞれ枝管１１の半周分の長さのものとし、長尺とした第１、２のベルト１５Ａ，２８Ａを利用して、これらを枝管１１の上半分のみに縛り付け、同じように各レール湾曲操作ロッド１６を、対応するスライドリング２７をガイドにして、それぞれ管軸方向へ摺動操作する。これにより、自在レール１４Ａを枝管１１の上半分の切断ラインに沿って湾曲させ、この湾曲状態を維持して、トーチ１２を自在レール１４Ａに沿って移動させながら、枝管１１の一端部の上半分のみを切断する。
その後は、枝管１１を上下反転させてから、同様の操作を行うことにより、枝管１１の一端部の残り半分を切断する。
【００２９】
次に、図７を参照して、本発明の実施例２の配管切断ガイド器１０Ｂについて説明する。
図７に示すように、実施例２の配管切断ガイド器１０Ｂの特徴は、実施例１のトーチ移動台１３に代えて、トーチ１２を周転させて鋼管からなる主管（配管）３３の枝管連結箇所を円形に切断するコンパス３４を搭載したものを採用した点である。
この配管切断ガイド器１０Ｂは、厚肉な台本体１８Ａの中央部の上面に長尺なガイド突起２１Ａが突設され、このガイド突起２１Ａの上端部に、Ｘ１−Ｘ２側面を貫通して矩形穴２１ｂが形成されている。この矩形穴２１ｂには、Ｘ１−Ｘ２方向へ延びる短冊状のトーチ取付アーム２２Ａの基端部がスライド可能に挿着されている。また、トーチ取付アーム２２Ａの先端部には、Ｚ１−Ｚ２側面を貫通して軸孔２２ｂが形成され、この軸孔２２ｂにトーチ回転軸３５の上端部が挿着されている。このトーチ回転軸３５の下端部は、Ｘ１−Ｘ２方向へ延びる長尺なコンパスアーム３６の基端部がスライド可能に挿着されている。コンパスアーム３６の先端部にはトーチ孔２２ａが形成され、このトーチ孔２２ａに、下端部に火口２３を有するトーチ１２Ａが着脱可能に挿着されている。
【００３０】
次に、図７を参照して、この実施例２の配管切断ガイド器１０Ｂの使用方法を説明する。
まず、トーチ１２Ａが装着されたコンパス３４を搭載したトーチ移動台１３Ａを、自在レール１４に沿って主管３３の切断したい箇所付近まで移動する。その後、ここでコンパス３４を使用し、トーチ回転軸３５を中心にしてトーチ１２Ａを周転させることにより、この主管３３の所定箇所を円形に直角交差穴切断することができる。
これにより、配管切断ガイド器１０Ｂを用いて、枝管１１の端管接合部と、これが接合（溶接）される主管３３の分岐穴とをそれぞれ切断形成することができる。
その他の構成、作用および効果は、実施例１から推測可能な範囲であるため、説明を省略する。
【産業上の利用可能性】
【００３１】
本発明は、配管をトーチにより切断する際に使用される配管切断ガイド器の技術として有用である。
【符号の説明】
【００３２】
１０，１０Ａ，１０Ｂ  配管切断ガイド器
１１  枝管（配管）
１２，１２Ａ  トーチ
１３，１３Ａ  トーチ移動台
１４，１４Ａ  自在レール
１５，１５Ａ  第１のベルト（レール装着部材）
１６  レール湾曲操作ロッド
１７，１７Ａ，１７Ｂ  管外周ロッド並列装着体
３３  主管（配管）
３４  コンパス
Ｍ  目盛
【図１】
2020175428.tif 000003
【図２】
2020175428.tif 000004
【図３】
2020175428.tif 000005
【図４】
2020175428.tif 000006
【図５】
2020175428.tif 000007
【図６】
2020175428.tif 000008
【図７】
2020175428.tif 000009
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
金属製の配管を切断するトーチが、着脱自在または固定状態で装着されるトーチ移動台と、
該トーチ移動台を、前記配管の切断ラインに沿って３次元的に移動させるための湾曲自在な自在レールと、
該自在レールを前記配管の外周面に着脱自在に装着させるレール装着部材と、
前記配管の管軸方向に各々延びるとともに、前記自在レールの長さ方向に所定ピッチで、この自在レールに各先端部がそれぞれ固定される複数本のレール湾曲操作ロッドと、
該各レール湾曲操作ロッドを、前記配管の管軸方向へそれぞれ摺動自在に支持するとともに、該配管の周方向に一定ピッチで、前記各レール湾曲操作ロッドを前記配管に着脱自在に装着する管外周ロッド並列装着体とを備え、
前記レール湾曲操作ロッドの外周面には、前記管外周ロッド並列装着体からのロッド突出長さを測定するための目盛が表示されていることを特徴とする配管切断ガイド器。
【請求項２】
前記トーチ移動台には、前記トーチを周転させて前記配管を円形に切断するコンパスを有したことを特徴とする請求項１に記載の配管切断ガイド器。